(57)【特許請求の範囲】
【請求項１】
上下方向の昇降可能な支持台を備え、支持台は、少なくとも円板が該円板の中心を通るように設けられた軸体を中心にして回転可能に組み付けられた誘導型電力計を掛止可能に構成されたメータ掛止手段を備えるとともに、メータ掛止手段に掛止させた誘導型電力計の端子に電気接続可能な端子接続手段を備え、前記軸体が横方向に延びた状態の誘導型電力計を搬送するベルトコンベアに並設される電力計支持装置において、前記支持台は、メータ掛止手段に掛止された誘導型電力計の前記軸体が上下方向に延びる第一状態と、該軸体が横方向に延びる第二状態とに切り換え可能となるように所定の回転中心回りで回転可能に設けられ、作業者が視認可能な第一位置で第一状態となる一方、第一位置よりも低い第二位置であって、ベルトコンベアの搬送面に対応する第二位置で、誘導型電力計を載置する載置面を上向きにした第二状態となるように構成され、前記メータ掛止手段は、前記支持台が第二状態になったときに、二つ以上の誘導型電力計を横並び状態で掛止可能であり、且つベルトコンベアから前記支持台に移動された誘導型電力計であって、前記軸体を横方向に延びる状態の誘導型電力計を掛止するように構成され、前記支持台が第一状態になったときであっても、横並び状態になった誘導型電力計を掛止することを特徴とする電力計支持装置。
【請求項２】
前記支持台が第一位置に位置した状態で、メータ掛止手段に掛止された誘導型電力計の端子に端子接続手段を介して電力供給するように構成されている請求項１に記載の電力計支持装置。
【請求項３】
前記支持台は、外観多角柱状に形成された支持台本体を備え、前記回転中心は、支持台本体の中心線上、又は該中心線と平行な軸線上に設定され、支持体本体の外周を画定する各面にメータ掛止手段が設けられ、各面上で種類の異なる誘導型電力計が掛止可能に構成されている請求項１又は２に記載の電力計支持装置。
【発明の詳細な説明】
【技術分野】
【０００１】
本発明は、オーバーホールした誘導型電力計や新品の誘導型電力計を組み立てる過程において、円板の回転中心となる軸体の位置調整を行う際に用いられる電力計支持装置に関する。
【背景技術】
【０００２】
電力量を計量する電力計として、誘導型電力計が普及している。かかる誘導型電力計は、軸体が中心を通るように取り付けられるとともに、軸体の両端部が軸支されて垂直方向に延びる軸体の中心回りで回転自在な円板と、誘導電流を発生させて円板を回転させるコイルと、円板の回転に制動をかけて該円板の回転を消費電力に応じた速度（回転量）に制御するための磁石とを備えており、円板の回転量で消費電力を計測できるようになっている。
【０００３】
そして、この種の電力計は、通常、所定の期間（例えば、１０年）毎にオーバーホールすることで、計測精度の維持が図られる。
【０００４】
ところで、この種の電力計は、円板の回転中心となる軸体が適正な配置（姿勢）になっていないと、円板が良好に回転できなくなって適正な計測を行えないことから、通常、オーバーホールした誘導型電力計や新品の誘導型電力計を組み立てる過程において、軸体が垂直方向に延びる適正な姿勢になるように微調整が行われる。
【０００５】
そして、かかる調整作業は、調整対象となる組み立て途中の誘導型電力計を家屋等に設置される状態（実際に電力を計測する状態）と同じ状態にしなければ、軸体の姿勢を適正な状態にできないことから、通常、電力計支持装置を用いて行われている。
【０００６】
ここで、電力計支持装置について説明すると、電力計支持装置は、軸体が上下方向に延びた姿勢になるように、組み立て途中の誘導型電力計を掛止可能な支持台を備えている。
【０００７】
そして、この種の電力計支持装置は、支持台が昇降可能になっており、支持台に掛止させた誘導型電力計を作業者の視線前方に配置できるようになっている。また、この種の電力計支持装置は、支持台に掛止させた誘導型電力計の端子に対して電力供給できるようになっている。すなわち、支持台は、誘導型電力計の端子に電気的に接続される端子接続手段を備えており、制御盤等に別途設けられる外部スイッチを操作することで端子接続手段から誘導型電力計の端子（電源側の端子）に電力供給できるようになっている。
【０００８】
これにより、上記構成の電力計支持装置は、支持台に掛止させた誘導型電力計を作業者の視線前方に配置した上で円板を回転させることができるため、作業者が無理な姿勢になることなく、円板及び軸体の姿勢を適確に把握して調整できるようになっている。
【発明の概要】
【発明が解決しようとする課題】
【０００９】
ところで、誘導型電力計の組み立て作業は、通常、流れ作業で行われており、各種作業を行うそれぞれのエリアに組み立て途中の誘導型電力計をベルトコンベアで搬送するようにしている。そのため、軸体の姿勢の調整を行うエリアにおいて、一つの誘導型電力計の円板及び軸体の姿勢を調整する度に、組み立て途中の誘導型電力計をベルトコンベアから持ち上げて支持台に掛止させたり、誘導型電力計を支持台から外してベルトコンベア上に配置したりしなければならず、作業が非常に繁雑である。
【００１０】
また、一つの誘導型電力計の軸体の姿勢を調整するのに、支持台への誘導型電力計の掛止やその解除（誘導型電力計の移動）、支持台の昇降、誘導型電力計への電力供給（スイッチの操作）、軸体の姿勢の調整といった一連の工程が必要となるため、多数の誘導型電力計の軸体の姿勢を調整すると、支持台の昇降、誘導型電力計への電力供給（スイッチの操作）が不必要に繰り返されることになり、作業効率が低下するといった問題があった。
【００１１】
そこで、本発明は、斯かる実情に鑑み、誘導型電力計の組み立て過程における軸体の調整に関連する作業の効率化を図るとともに、作業者の作業負担を軽減することのできる電力計支持装置を提供することを課題とする。
【課題を解決するための手段】
【００１２】
本発明に係る電力計支持装置は、上下方向の昇降可能な支持台を備え、支持台は、少なくとも円板が該円板の中心を通るように設けられた軸体を中心にして回転可能に組み付けられた誘導型電力計を掛止可能に構成されたメータ掛止手段を備えるとともに、メータ掛止手段に掛止させた誘導型電力計の端子に電気接続可能な端子接続手段を備え、前記軸体が横方向に延びた状態の誘導型電力計を搬送するベルトコンベアに並設される電力計支持装置において、前記支持台は、メータ掛止手段に掛止された誘導型電力計の前記軸体が上下方向に延びる第一状態と、該軸体が横方向に延びる第二状態とに切り換え可能となるように所定の回転中心回りで回転可能に設けられ、作業者が視認可能な第一位置で第一状態となる一方、第一位置よりも低い第二位置であって、ベルトコンベアの搬送面に対応する第二位置で、誘導型電力計を載置する載置面を上向きにした第二状態となるように構成され、前記メータ掛止手段は、前記支持台が第二状態になったときに、二つ以上の誘導型電力計を横並び状態で掛止可能であり、且つベルトコンベアから前記支持台に移動された誘導型電力計であって、前記軸体を横方向に延びる状態の誘導型電力計を掛止するように構成され、前記支持台が第一状態になったときであっても、横並び状態になった誘導型電力計を掛止することを特徴とする。
【００１３】
上記構成の電力計支持装置によれば、支持台は、メータ掛止手段に掛止された誘導型電力計の前記軸体が上下方向に延びる第一状態と、該軸体が横方向に延びる第二状態とに切り換え可能となるように所定の回転中心回りで回転可能に設けられ、作業者が視認可能な第一位置で第一状態となるように構成されているので、二つ以上の誘導型電力計（軸体）が作業者の姿勢（視線）に応じた配置になり、各誘導型電力計の軸体（円板）の姿勢を連続的に調整することができる。また、支持台は、第一位置よりも低い第二位置で第二状態となるように構成されているので、二つ以上の誘導型電力計のそれぞれの軸体の姿勢を気にせずに、各誘導型電力計を寝かせた状態でセットすることができる。
【００１４】
特に、誘導型電力計が流れ作業で組み立てられる場合（ベルトコンベアやローラコンベア等のコンベアで組み立て途中の誘導型電力計を搬送しつつ所定エリア毎で所定の組み付け作業が行われる場合）、電力計支持装置をコンベアに隣接して配置し、支持台における誘導型電力計を配置する面がベルトコンベア（誘導型電力計を配置する搬送面）と同レベル、又は略同レベルになるように第二位置を設定することで、コンベア上の誘導型電力計を大きく持ち上げることなく横方向に移動させることで支持台上に配置することができる。従って、作業者の作業の負担を軽減することができる。
【００１５】
また、上記構成の電力計支持装置は、メータ掛止手段が二つ以上の誘導型電力計を横並び状態で掛止可能に構成されているので、メータ掛止手段に二つ以上の誘導型電力計を掛止させた状態で支持台を昇降させることで二つ以上の誘導型電力計の配置を一度に変更できる。従って、多数の誘導型電力計に対する作業を行う際に支持台の昇降回数を減らすことができ、作業時間の短縮（作業効率の効率化）を図ることができる。
【００１６】
本発明の一態様として、前記支持台が第一位置に位置した状態で、メータ掛止手段に掛止された誘導型電力計の端子に端子接続手段を介して電力供給するように構成されていることが好ましい。このようにすれば、作業者が軸体の姿勢を確認する位置以外で円板が回転することがなく、支持台の移動（昇降）時に組み立て途中の誘導型電力計が故障する（円板が無理に回転して故障する）ことを防止できる。また、電力供給についての作業を作業者が手作業で行う必要がなく、作業者の作業負担の軽減することができる。
【００１７】
本発明の他態様として、前記支持台は、外観多角柱状に形成された支持台本体を備え、前記回転中心は、支持台本体の中心線上、又は該中心線と平行な軸線上に設定され、支持体本体の外周を画定する各面にメータ掛止手段が設けられ、各面上で種類の異なる誘導型電力計が掛止可能に構成されてもよい。このようにすれば、一台の電力計支持装置で複数種類の誘導型電力計に対する調整作業を行うことができる。
【発明の効果】
【００１８】
以上のように、本発明の電力計支持装置によれば、誘導型電力計の組み立て過程における軸体の調整に関連する作業の効率化を図るとともに、作業者の作業負担を軽減することができるという優れた効果を奏し得る。
【図面の簡単な説明】
【００１９】
【図１】本発明の一実施形態に係る電力計支持装置を部分的に破断させた平面図であって、電力計支持装置を組み立て途中（カバーガラスが取り外された状態）の誘導型電力計を搬送するベルトコンベアに並設した状態を示す。
【図２】同実施形態に係る電力計支持装置の部分拡大図を含む正面図を示す。
【図３】同実施形態に係る電力計支持装置の側面断面図であって、電力計支持装置をベルトコンベアに並設した状態を示す。
【図４】同実施形態に係る電力計支持装置を部分的に破断させた平面図であって、電力計支持装置をベルトコンベアに並設した状態を示す。
【図５】同実施形態に係る電力計支持装置の支持台を第二位置で第二状態にした正面図であって、ベルトコンベア上の誘導型電力計を支持台上に移した状態を示す。
【図６】同実施形態に係る電力計支持装置の支持台を第一位置で第一状態にした正面図を示す。
【図７】同実施形態に係る電力計支持装置の支持台を第一位置で第一状態にした側面断面図であって、電力計支持装置をベルトコンベアに並設した状態を示す。
【発明を実施するための形態】
【００２０】
以下、本発明の一実施形態に係る電力計支持装置について、添付図面を参照しつつ説明する。
【００２１】
本実施形態に係る電力計支持装置は、図１に示す如く、組み立て途中の誘導型電力計Ｍを搬送するコンベア（本実施形態においてはベルトコンベア）ＢＣに隣接して配置されている。かかるベルトコンベアＢＣは、間欠運転するようになっており、組み立て途中の誘導型電力計Ｍを所定距離移動させた後に、一定時間、或いは、作業者が駆動スイッチを操作するまで移動を停止するようになっている。すなわち、ベルトコンベアＢＣは、各種作業を行うエリアにまで組み立て途中の誘導型電力計Ｍを搬送した後に停止し、各エリアでの作業が完了した後に再度誘導型電力計Ｍを搬送するようになっている。
【００２２】
電力計支持装置１は、図２及び図３に示す如く、上下方向に昇降可能な支持台１０を備えている。より具体的には、本実施形態に係る電力計支持装置１は、横方向に間隔をあけて配置された一対の支柱１１ａ，１１ｂと、該一対の支柱１１ａ，１１ｂ間に配置され、上下方向の昇降可能な支持台１０と、支持台１０を昇降させるための昇降手段１２とを備えている。
【００２３】
一対の支柱１１ａ，１１ｂは、ボックス状に形成されている。そして、本実施形態において、一対の支柱１１ａ，１１ｂは、上端部同士が梁材１１ｃを介して連結されている。これにより、一対の支柱１１ａ，１１ｂ及び梁材１１ｃは門型を呈している。
【００２４】
支持体１０は、少なくとも円板Ｄが該円板Ｄの中心を通るように設けられた軸体Ｓを中心にして回転可能に組み付けられた誘導型電力計Ｍ（図１参照）を掛止可能に構成されたメータ掛止手段１０１を備えるとともに、メータ掛止手段１０１に掛止させた誘導型電力計Ｍの端子Ｔ（図１参照）に電気接続可能な端子接続手段１０２を備えている。
【００２５】
より具体的に説明すると、本実施形態に係る支持台１０は、外観多角柱状に形成された支持台本体１００と、支持体本体の外周を画定する各面に設けられたメータ掛止手段１０１と、メータ掛止手段１０１に掛止させた誘導型電力計Ｍの端子Ｔに電気接続可能な端子接続手段１０２とを備えている。
【００２６】
前記支持台１０は、メータ掛止手段１０１に掛止された誘導型電力計Ｍの前記軸体Ｓが上下方向に延びる第一状態Ａ（図６及び図７参照）と、該軸体Ｓが横方向に延びる第二状態Ｂ（図４及び図５参照）とに切り換え可能となるように、所定の回転中心回りで回転可能に構成されている。本実施形態に係る支持台１０は、上述の如く、外観多角柱状の支持台本体１００を備えているため、支持台１０の回転中心は支持台本体１００の中心線上、又は該中心線と平行な軸線上に設定される。本実施形態に係る電力計支持装置１は、支持台本体１００に軸（回転軸）１０３が挿通されており、支持台１０が回転軸１０３回りで回転可能になっている。
【００２７】
本実施形態に係るメータ掛止手段１０１は、二つ以上の誘導型電力計Ｍを横並びに配置した状態で掛止可能に構成されている。より具体的に説明すると、本実施形態に係るメータ掛止手段１０１は、支持台１０の外面に対して間隔をあけて配置された帯板で構成されており、誘導型電力計Ｍの端子部ＴＡ（ケーブルを接続するための複数の端子Ｔが横並びに配設された箇所）を、支持台１０の外面とメータ掛止手段１０１（帯板）との間に介挿することで、誘導型電力計Ｍを掛止できるようになっている。なお、本実施形態に係る電力計支持装置１は、誘導型電力計Ｍを二つ以上掛止する（配置する）ようにしているため、各誘導型電力計Ｍの配置予定位置の両側に誘導型電力計Ｍの両側端部を補助的に固定するためのクランプ１０４が設けられている。
【００２８】
そして、前記端子接続手段１０２は、メータ掛止手段（帯板）１０１と支持台１０の外面との間に設けられており、誘導型電力計Ｍの端子部ＴＡを構成する複数の端子Ｔの配置に対応して設けられた複数の接点（採番しない）を備えている。そして、端子接続手段１０２は、支持台１０の外面とメータ掛止手段１０１（帯板）との間に端子部ＴＡが介挿された状態で、端子部ＴＡに設けられた各端子Ｔに各接点が電気的に接続されるようになっている。
【００２９】
誘導型電力計Ｍの端子部ＴＡには、電源側の端子Ｔと負荷側の端子Ｔとが設けられているため、端子接続手段１０２の接点として、電源にスイッチ機構を介して接続された一次側接点と、負荷発生手段（擬似的に負荷を発生させる負荷発生手段）に接続された二次側接点とが設けられおり、電源側の端子Ｔに一次側接点が接続され、負荷側の端子Ｔに二次側接点が接続されるようになっている。
【００３０】
そして、本実施形態に係るメータ掛止手段１０１は、上述の如く、二つ以上（図に示す電力計支持装置１においては五つ）の誘導型電力計Ｍを掛止可能に構成されているため、前記端子接続手段１０２は、誘導型電力計Ｍが配置される（掛止される）位置に対応して二つ以上（本実施形態においては五つ）設けられている。
【００３１】
本実施形態に係る電力計支持装置１は、支持台１０が後述する第一位置Ｐ１に位置した状態で、メータ掛止手段１０１に掛止された誘導型電力計Ｍの端子Ｔに対して端子接続手段１０２を介して電力供給するように構成されている。
【００３２】
本実施形態に係る支持台１０は、外観多角柱状の支持台本体１００を備えていることから、支持台本体１００の外周を画定する各面（各載置面）にメータ掛止手段１０１が設けられている。これにより支持台本体１００の外周を構成する各面上で、二つ以上の誘導型電力計Ｍを掛止できるようになっており、本実施形態においては、異なる面上で種類の異なる誘導型電力計Ｍが掛止可能に構成されている。
【００３３】
前記昇降手段１２は、作業者が視認可能な第一位置Ｐ１と、第一位置Ｐ１よりも低い第二位置Ｐ２との間で支持台１０を昇降させるように構成されている。すなわち、本実施形態において、作業者が起立した状態で円板Ｄ及び軸体Ｓの姿勢の調整を行うようにしており、これを前提に支持台１０の第一位置Ｐ１は、起立した作業者の顔の前方位置に設定されている。また、本実施形態において、上述の如く、電力計支持装置１がベルトコンベアＢＣに隣接して配置されているため、支持台１０の第二位置Ｐ２は、ベルトコンベアＢＣ（誘導型電力計Ｍを搬送する搬送面）に対応するように設定されている。すなわち、支持台１０が回転軸１０３回りで回転可能に設けられているため、誘導型電力計Ｍを掛止させる面（メータ掛止手段１０１の取り付けられた面）がベルトコンベアＢＣの搬送面と同じ又は略同じレベルになるように第二位置Ｐ２が設定されている。
【００３４】
昇降手段１２は、一対の支柱１１ａ，１１ｂのそれぞれに取り付けられており、同期をとって支持台１０の両端部を移動させるようになっている。本実施形態に係る電力計支持装置１は、安全性を確保すべく、各昇降手段１２がカバー（採番しない）で覆われている。昇降手段１２には、油圧或いは空圧のシリンダや、プリーとロープ（ワイヤー）との組み合わせ、スプロケット１２０ａ，１２０ｂとチェーン１２１との組み合わせ等、種々のもの採用することができる。
【００３５】
本実施形態に係る昇降手段１２は、スプロケット１２０ａ，１２０ｂとチェーン１２１とを組み合わせたもので構成されており、スプロケット１２０ａ，１２０ｂを駆動モータＤＭで回転させることでチェーン１２１を長手方向（上下方向）に移動させるようになっている。
【００３６】
具体的には、本実施形態に係る昇降手段１２は、上下方向に間隔をあけて配置された一対のスプロケット１２０ａ，１２０ｂに掛け渡されたチェーン１２１に支持台１０の両端部（支持台１０に挿通した回転軸１０３の両端部）を軸支する軸受体１２２が固定されており、チェーン１２１の長手方向の移動によって軸受体１２２を介して支持台１０を昇降させるようになっている。
【００３７】
なお、本実施形態に係る電力計支持装置１は、フットスイッチＦＳを踏み操作することで昇降手段１２を作動させるようになっており、第一位置Ｐ１及び第二位置Ｐ２に対応して設けられたスイッチ（図示しない）が支持台１０を感知すると昇降手段１２の作動を停止するようになっている。また、本実施形態に係る電力計支持装置１は、第一位置Ｐ１に対応したスイッチが支持台１０を感知すると、端子接続手段１０２の各接点に電力供給するようにもなっている。
【００３８】
本実施形態に係る支持台１０は、作業者が視認可能な第一位置Ｐ１で第一状態Ａとなる一方、第一位置Ｐ１よりも低い第二位置Ｐ２で第二状態Ｂとなるように構成されている。
【００３９】
これに伴い、本実施形態に係る電力計支持装置１は、支持台１０を第一状態Ａと第二状態Ｂとに自動的に切り換える姿勢変更手段２０が設けられている。かかる姿勢変更手段２０は、支柱１１ａ，１１ｂに取り付けられたガイドレール２００と、該ガイドレール２００に沿って移動可能なガイドローラ２０１とで構成されている。本実施形態に係るガイドレール２００は、支柱１１ａ，１１ｂに取り付けられたガイドプレート２００ａに穿設された長穴２００ｂを画定する内面により構成されている。なお、本実施形態に係る電力計支持装置１は、ガイドレール２００を設けるべく、ガイドプレート２００ａが支柱１１ａ，１１ｂから前方に向けて延設されていることから、支持台１０を昇降させる際に回転軸１０３の移動（昇降）を許容すべく、ガイドプレート２００ａにはガイドレール２００を形成するための前記長穴２００ａとは別に上下方向に延びる別の長穴（採番しない）が穿設されており、該長穴に回転軸１０３が挿通されている。
【００４０】
そして、ガイドローラ２０１は、支持台１０に対して回転力が伝達できるように設けられたトルク伝達プレート２０２に固定されており、ガイドプレート２００ａの長穴２００ｂ内に配置されている。これにより、支持台１０が昇降する際にガイドローラ２０１がガイドレール２００に沿って移動し、ガイドローラ２０１の移動軌跡に対応して支持台１０が回転軸１０３回りで回転するようになっている。
【００４１】
本実施形態においては、支持台本体１００が三角柱状に形成されているため、支持台本体１００の外周を構成する三つの面のうちの一面（載置面）が横方向に向いた（垂直方向に広がる）第一状態Ａから該載置面が上方に向いた（水平方向に広がる）第二状態Ｂに切り替わり、また、支持台本体１００の外周を構成する三つの面のうちの一面（載置面）が上方向に向いた（水平方向に広がる）第二状態Ｂから該載置面が横方向に向いた（垂直方向に広がる）第一状態Ａに切り替わるのに、支持台１０を回転軸１０３回りで９０°回転させる必要があることから、ガイドレール２００は、ガイドローラ２０１を案内することで支持台１０を９０°回転させるように形成されている。
【００４２】
そして、本実施形態に係る電力計支持装置１は、誘導型電力計Ｍを掛止させる面を切り換えるための掛止面切換手段３０を備えている。掛止面切換手段３０は、回転軸１０３回りでの回転が規制された回転規制フレーム３００と、支持台１０の端部に連結されるとともに、該支持台１０を挿通した回転軸１０３に外嵌されて該回転軸１０３回りで回転自在に設けられた環状の回転フレーム３０１と、回転規制フレーム３００と回転フレーム３０１との相対的な回転を所定角度毎に規制するロック手段３０２とを備えている。
【００４３】
本実施形態においては、上述の如く、トルク伝達プレート２０２にガイドローラ２０１が取り付けられ、該ガイドローラ２０１が上下方向に延びるガイドレール２００に案内されるため、トルク伝達プレート２０２は、回転軸１０３回りでの回転が規制されている。これに伴い、本実施形態においては、前記トルク伝達プレート２０２を回転規制フレーム３００に兼用している。そして、トルク伝達プレート２０２は、回転軸１０３が回転自在に挿通されており、該回転軸１０３を包囲する筒状部３０３が支持台１０側に突設されている。
【００４４】
そして、前記筒状部３０３には、前記回転フレーム３０１が外嵌されており、筒状部３０３及び回転フレーム３０１が回転軸１０３回りで相対回転可能になっている。
【００４５】
前記ロック手段３０２は、回転フレーム３０１を貫通して回転フレーム３０１の内部に出退可能なロックピン（採番しない）を備えており、ロックピンを筒状部３０３の外面に形成された凹部、又は穴に嵌入することで回転フレーム３０１と回転規制フレーム３００（トルク伝達プレート２０２）との相対的な回転を規制するようになっている。なお、筒状部３０３には、周方向に所定間隔毎（本実施形態においては、支持台１０が三角柱状をなして掛止面が三面改正されているため１２０°毎）に凹部又は穴が設けられており、何れかの凹部又は穴にロックピンを嵌入することで、誘導型電力計Ｍを掛止する面を何れに変更しても、その面で掛止した誘導型電力計Ｍを第一状態Ａ及び第二状態Ｂにできる状態で維持させるようになっている。
【００４６】
本実施形態に係る支持台１０は、両端側が軸受体１２２に連結されている。すなわち、支持台１０には、回転軸１０３が挿通されており、該回転軸１０３の両端部が軸受体１２２に回転自在に支持されている。これにより、回転軸１０３は、自己の軸心回りで回転自在になっている。
【００４７】
本実施形態に係る電力計支持装置１は、以上の構成からなり、次に、誘導型電力計Ｍの組み立て工程における円板Ｄ及び軸体Ｓの調整方法（電力計支持装置１の使用方法）について説明する。
【００４８】
まず、誘導型電力計Ｍの組み立て作業において、少なくとも円板Ｄが該円板Ｄの中心を通るように設けられた軸体Ｓを中心にして回転可能な状態にされる。そして、円板Ｄが該円板Ｄの中心を通るように設けられた軸体Ｓを中心にして回転可能な状態になった組み立て途中の誘導型電力計Ｍは、ベルトコンベアＢＣによって下流側に搬送される。なお、本実施形態においては、上述の如く、電力計支持装置１の支持台１０上で誘導型電力計Ｍに電力供給して円板Ｄを回転させるため、円板Ｄ（軸体Ｓ）の組み付けの他に、コイルや磁石、端子部ＴＡ等の組み込みが行われた後（カバーガラスのみが外された状態で）、ベルトコンベアＢＣによる搬送が再開し、誘導型電力計Ｍが電力計支持装置１と対応する位置にまで搬送される。
【００４９】
そして、組み立て途中の誘導型電力計Ｍが電力計支持装置１と対応する位置に到達すると、一時的にベルトコンベアＢＣが停止する。そこで、作業者は、図４及び図５に示す如く、ベルトコンベアＢＣ上の誘導型電力計Ｍを第二位置Ｐ２にある支持台１０上に配置する。本実施形態においては、第二位置Ｐ２がベルトコンベアＢＣの搬送面と同一又は略同一レベルに設定されているため、作業者はベルトコンベアＢＣ上の誘導型電力計Ｍを大きく持ち上げることなく横方向に移動させるようにして誘導型電力計Ｍを支持台１０上に配置できる。
【００５０】
そして、各誘導型電力計Ｍをメータ掛止手段１０１に掛止させる。すなわち、誘導型電力計Ｍの端子部ＴＡを支持台本体１００の載置面とメータ掛止手段１０１との間に挿入する。そうすると、各誘導型電力計Ｍは、第二状態Ｂで端子部ＴＡの各端子Ｔが端子接続手段１０２の各接点に対して電気的（通電可能）に接続される。
【００５１】
そして、クランプ１０４で各誘導型電力計Ｍの両側端部を補助的に固定した後、作業者がフットスイッチＦＳを踏み操作すると、支持台１０が上昇しつつ回転軸１０３回りで回転する。すなわち、支持台１０が上昇するのに併せてガイドローラ２０１がガイドレール２００に沿って移動し、これに伴って支持台１０が回転軸１０３回りで回転する。そして支持台１０は、第一位置Ｐ１に到達するとその位置で停止する。この状態で、図６及び図７に示す如く、支持台１０に掛止させた各誘導型電力計Ｍは、円板Ｄ及び軸体Ｓを正面に向けた状態（第一状態Ａ）になる。そして、支持台１０が第一位置Ｐ１に到達すると、端子接続手段１０２に電力が供給され、各誘導型電力計Ｍの円板Ｄが軸体Ｓ周りで回転する。この状態で作業者は、各誘導型電力計Ｍの円板Ｄ及び軸体Ｓの回転状態を確認しつつ円板Ｄ及び軸体Ｓの姿勢を調整する。
【００５２】
そして、各誘導型電力計Ｍの円板Ｄ及び軸体Ｓの微調整が完了した後、作業者が再びフットスイッチＦＳを踏み操作すると、支持台１０が下降しつつ回転軸１０３回りで回転する。すなわち、支持台１０が下降するのに併せてガイドローラ２０１がガイドレール２００に沿って移動し、これに伴って支持台１０が回転軸１０３回りで回転する。また、支持台１０の下降に伴い、第一位置Ｐ１に対応して設けられたスイッチがオフになり、端子接続手段１０２への電力供給が停止される。
【００５３】
そして、支持台１０は、第二位置Ｐ２に到達するとその位置で停止する。この状態で、図４及び図５に示す如く、支持台１０に掛止させた各誘導型電力計Ｍは、円板Ｄ及び軸体Ｓを上方に向けた状態（第二状態Ｂ）になる。
【００５４】
そして、作業者は、クランプ１０４を緩めた上でメータ掛止手段１０１による誘電型電力計Ｍの掛止を解除し、各誘導型電力計ＭをベルトコンベアＢＣ上に移動させる（図１参照）。このときにおいても、支持台１０は、ベルトコンベアＢＣの搬送面に対応する第二位置Ｐ２にあるため、作業者は支持台１０上の誘導型電力計Ｍを大きく持ち上げることなく横方向に移動させるようにして誘導型電力計ＭをベルトコンベアＢＣ上に配置できる。
【００５５】
しかる後、ベルトコンベアＢＣを作動させ、後続の誘導型電力計Ｍに対しても上記工程により円板Ｄ及び軸体Ｓの微調整を行う。
【００５６】
そして、異なるタイプの誘導型電力計Ｍの組み立て作業を行う場合（円板Ｄ及び軸体Ｓの微調整を行う場合）、支持台１０を第二位置Ｐ２に位置させた状態でロック手段３０２によるロックを解除し、他の面が上方に向くように支持台１０を回転軸１０３回りで回転させる。そして、微調整（組み立て）の対象となる誘導型電力計Ｍを掛止できるメータ掛止手段１０１の設けられた面が上方に向くと、ロック手段３０２で支持台１０の回転を規制する。この状態で、先の対象と異なる誘導型電力計Ｍを掛止できる状態となるので、上述と同様の工程で誘導型電力計Ｍの円板Ｄ及び軸体Ｓの微調整が行われる。
【００５７】
以上のように、上記構成の電力計支持装置１によれば、支持台１０は、メータ掛止手段１０１に掛止された誘導型電力計Ｍの前記軸体Ｓが垂直方向に延びる第一状態Ａと、該軸体Ｓが横方向に延びる第二状態Ｂとに切り換え可能となるように、所定の回転中心（回転軸）１０３回りで回転可能に構成され、作業者が視認可能な第一位置Ｐ１で第一状態Ａとなるように構成されているので、二つ以上の誘導型電力計Ｍが作業者の姿勢（視線）に応じた配置になり、各誘導型電力計Ｍの円板Ｄ及び軸体Ｓの姿勢を連続的に調整することができる。
【００５８】
また、支持台１０が第一位置Ｐ１よりも低い第二位置Ｐ２で第二状態Ｂとなるように構成されているので、誘導型電力計Ｍを大きく持ち上げることなく支持台１０上に配置することでメータ掛止手段１０１に掛止させることができる。特に、誘導型電力計Ｍが流れ作業で組み立てられる場合（ベルトコンベアＢＣによって搬送されつつ組み立てられる場合）、当該電力計支持装置１をベルトコンベアＢＣに隣接して配置するとともに、第二位置Ｐ２をベルトコンベアＢＣの配置に合わせれば、ベルトコンベアＢＣ上の誘導型電力計Ｍを横方向にスライドさせることで誘導型電力計Ｍを支持台１０上に配置することができる。従って、作業者に対する誘導型電力計Ｍの持ち運び作業の負担を軽減することができる。
【００５９】
また、本実施形態に係る電力計支持装置１は、メータ掛止手段１０１が二つ以上の誘導型電力計Ｍを横並び状態で掛止可能に構成されているので、メータ掛止手段１０１で二つ以上の誘導型電力計Ｍを掛止させた状態で支持台１０を昇降させることで二つ以上の誘導型電力計の配置を一度に変更できる。
【００６０】
従って、多数の誘導型電力計Ｍに対する作業を行う際に支持台１０の昇降回数を減らすことができ、作業時間の短縮（作業効率の効率化）を図ることができる。
【００６１】
さらに、前記支持台１０は、第一位置Ｐ１に位置した状態で、メータ掛止手段１０１に掛止された誘導型電力計Ｍの端子Ｔに対して端子接続手段１０２を介して電力供給するように構成されているので、作業者が円板Ｄ及び軸体Ｓの姿勢を確認する位置以外で円板Ｄが回転することがなく、支持台１０の移動（昇降）時に円板Ｄが不用意に回転して故障してしまうことを防止することができる。また、電力供給についての作業を作業者が手作業で行う必要がなく、作業者の作業負担の軽減することができる。
【００６２】
さらに、前記支持台１０は、外観多角柱状に形成された支持台本体１００を備え、該支持台１０の回転中心が支持台本体１００の中心線上、又は該中心線と平行な軸線上に設定され、支持体本体１００の外周を画定する各面にメータ掛止手段１０１が設けられ、各面上で種類の異なる誘導型電力計Ｍが掛止可能に構成されているので、一台の電力計支持装置１で複数種類の誘導型電力計Ｍに対する調整作業を行うことができる。
【００６３】
尚、本発明に係る電力計支持装置は、上記実施形態に限定されるものではなく、本発明の要旨を逸脱しない範囲で適宜変更可能である。
【００６４】
上記実施形態において、支持体を三角柱状に形成し、外周を構成する各面（三つの面）のそれぞれにメータ掛止手段１０１を設けるようにしたが、これに限定されるものではなく、例えば、支持台１０をプレート状に形成し、その一面にメータ掛止手段１０１を設けるとともに、支持台１０を所定の回転中心（メータ掛止手段１０１に掛止させた誘導型電力計Ｍの軸体Ｓと直交する方向に延びる回転軸１０３）回りで回転可能に構成してもよい。このようにしても、支持体を回転軸１０３回りで回転させることで、メータ掛止手段１０１に掛止させた誘導型電力計Ｍの軸体Ｓが上下方向に延びる第一状態Ａと、軸体Ｓが横方向（水平方向）に延びる第二状態Ｂとに切り換えることができる。
【００６５】
上記実施形態において、支持台本体１００を三角柱状に形成したが、これ限定されるものではなく、例えば、支持台本体１００を四角柱や五角柱等の多角柱状に形成し、外周を構成（画定）する複数の面のそれぞれにメータ掛止手段１０１（二つ以上の誘導型電力計Ｍを掛止可能なメータ掛止手段１０１）を設け、各面において異なる種類の誘導型電力計Ｍを掛止可能（支持可能）に構成してもよい。
【００６６】
上記実施形態において、支持台１０を三角柱状に形成し、外周を構成する各面にメータ掛止手段１０１を設け、各面において異なる種類の誘導型電力計Ｍを掛止可能に構成したが、これに限定されるものではなく、例えば、各面において同種の誘導型電力計Ｍを掛止可能に構成してもよい。これは支持台１０を四角柱や五角柱等の多角柱上にする場合も同様である。
【００６７】
上記実施形態において、支持台１０が第一位置Ｐ１に到達すると、端子接続手段１０２を介して誘導型電力計Ｍの端子Ｔに電気を供給するようにしたが、これに限定されるものではなく、例えば、作業者がその作業タイミングに応じて電力供給とその停止を切り換えるための手動スイッチを設けるようにし、電力供給とその停止を手動で行うようにしてもよい。
【００６８】
上記実施形態において、第一位置Ｐ１と第二位置Ｐ２との間で支持台１０が昇降するのに併せて該支持台１０が第一状態Ａと第二状態Ｂとに自動的に切り替わるようにしたが、これに限定されるものではなく、例えば、支持台１０の昇降と状態の切り換えを独立させてもよい。従って、支持台１０が第一位置Ｐ１や第二位置Ｐ２に到達した状態で作業者が支持台１０を回転軸１０３回りで回転させるようにしてもよい。但し、支持台１０を回転させた後に回転後の姿勢を維持させるようにロック手段を設けることは言うまでもない。
【００６９】
上記実施形態において、組み立て途中の誘導型電力計Ｍが搬送されるベルトコンベアＢＣに対して電力計支持装置１を隣接した配置することを前提に、第二位置Ｐ２（支持台１０の下降位置）をベルトコンベアＢＣの配置に対応させるようにしたが、これに限定されるものではなく、第二位置Ｐ２は、作業者にとって誘導型電力計Ｍを支持台１０に載置し易い高さであればよい。また、上記実施形態において、流れ作業を前提にベルトコンベアＢＣに隣接して電力計支持装置１を配置するようにしたが、例えば、いわゆる屋台方式で組み立て作業を行う場合には、電力計支持装置１は独立して設置するようにしても勿論よい。
【符号の説明】
【００７０】
１…電力計支持装置、１０…支持台、１１ａ，１１ｂ…支柱、１１ｃ…梁材、１２…昇降手段、２０…姿勢変更手段、３０…掛止面切換手段、１００…支持台本体、１０１…メータ掛止手段、１０２…端子接続手段、１０３…回転軸、１０４…クランプ、１２０ａ，１２０ｂ…スプロケット、１２１…チェーン、１２２…軸受体、２００…ガイドレール、２００ａ…ガイドプレート、２００ｂ…長穴、２０１…ガイドローラ、２０２…トルク伝達プレート、３００…回転規制フレーム、３０１…回転フレーム、３０２…ロック手段、３０３…筒状部、Ａ…第一状態、Ｂ…第二状態、ＢＣ…ベルトコンベア、Ｄ…円板、ＦＳ…フットスイッチ、ＤＭ…駆動モータ、Ｍ…誘導型電力計、Ｐ１…第一位置、Ｐ２…第二位置、Ｓ…軸体、Ｔ…端子、ＴＡ…端子部
【図１】
0005442495.tif 000002
【図２】
0005442495.tif 000003
【図３】
0005442495.tif 000004
【図４】
0005442495.tif 000005
【図５】
0005442495.tif 000006
【図６】
0005442495.tif 000007
【図７】
0005442495.tif 000008